(57)【要約】  本発明は、目詰まりの発生を防止することができる、ミスト噴射ヘッド部の構造を有する成膜装置を提供することを目的とする。そして、本発明の成膜装置におけるミスト噴射ヘッド部（１００）は、原料溶液噴射用ノズル部（Ｎ１），反応材料噴射用ノズル部（Ｎ３）間に不活性ガス噴射部（８２）、原料溶液噴射用ノズル部（Ｎ１），反応材料噴射用ノズル部（Ｎ２）間に不活性ガス噴射部（８３）を設けている。したがって、不活性ガス噴出口（１９２）は原料溶液噴出口（１５）と反応材料噴出口（１７）との間に設けられ、不活性ガス噴出口（１９３）は原料溶液噴出口（１５）と反応材料噴出口（１６）との間に設けられる。
2017068625.tif 000002
【特許請求の範囲】
【請求項１】
ミスト化された原料溶液を大気中に噴射することにより、基板（２３）に対して膜を成膜する成膜装置であって、
前記基板が載置される載置部（２４）と、
底面に原料溶液噴出口（１５，１５Ｂ）、反応材料噴出口（１６，１７，１６Ｂ，１７Ｂ）及び不活性ガス噴出口（１９２，１９３，１９２Ｂ，１９３Ｂ）を有し、前記載置部に載置されている前記基板に対し、前記原料溶液噴出口より前記原料溶液を噴射し、前記反応材料噴出口より前記原料溶液との反応に寄与する反応材料を噴射し、前記不活性ガス噴出口より不活性ガスを噴射するミスト噴射ヘッド部（１００，１００Ｂ）とを備え、
前記不活性ガス噴出口は、前記原料溶液噴出口と前記反応材料噴出口との間に設けられることを特徴とする、
成膜装置。
【請求項２】
請求項１記載の成膜装置であって、
前記不活性ガス噴出口は第１及び第２の不活性ガス噴出口（１９３，１９２，１９３Ｂ
，１９２Ｂ）を含み、
前記反応材料は第１及び第２の反応材料を含み、前記反応材料噴出口は前記第１及び第２の反応材料を噴出するための第１及び第２の反応材料噴出口（１６，１７，１６Ｂ，１７Ｂ）を含み、
前記第１の不活性ガス噴出口（１９３，１９３Ｂ）は、前記原料溶液噴出口と前記第１の反応材料噴出口（１６，１６Ｂ）との間に設けられ、前記第２の不活性ガス噴出口（１９２，１９２Ｂ）は、前記原料溶液噴出口と前記第２の反応材料噴出口（１７，１７Ｂ）との間に設けられる、
成膜装置。
【請求項３】
請求項１または請求項２記載の成膜装置であって、
前記ミスト噴射ヘッド部の底面は第１及び第２の方向で規定される矩形状を呈し、
前記原料溶液噴出口、前記反応材料噴出口、及び前記不活性ガス噴出口はそれぞれ平面視して前記第１の方向を長手方向としたスリット状に形成されることを特徴とする、
成膜装置。
【請求項４】
請求項１から請求項３のうち、いずれか１項に記載の成膜装置であって、
前記ミスト噴射ヘッド部は、外部より不活性ガスを導入する不活性ガス供給部（５２，５３，５２Ｂ，５３Ｂ）をさらに有し、前記不活性ガス供給部は前記不活性ガス噴出口に連通し、
前記不活性ガス噴出口の開口面積は前記不活性ガス供給部の開口面積以下であることを特徴とする、
成膜装置。
【請求項５】
請求項１から請求項４のうち、いずれか１項に記載の成膜装置であって、
前記不活性ガスを噴出している流量は、前記原料溶液を噴出している流量及び前記反応材料を噴出している流量それぞれ以下である、
成膜装置。
【請求項６】
請求項１から請求項５のうち、いずれか１項に記載の成膜装置であって、
前記ミスト噴射ヘッド部は、
前記原料溶液噴出口より前記原料溶液の噴射を行う原料溶液噴射用ノズル部（Ｎ１，Ｎ１Ｂ）を備え、
前記原料溶液噴射用ノズル部は、
第１の空洞部（１１）と、
前記第１の空洞部内に、ミスト化された前記原料溶液を供給する原料溶液供給部（１）と、
前記第１の空洞部の底面より離れた位置において、前記第１の空洞部内の側面に設けられ、前記原料溶液噴出口と接続されている原料溶液排出部（４１，４１Ｂ）と、
前記第１の空洞内に配設されている、前記原料溶液の流れを整える第１の整流部（６）とを含む、
成膜装置。
【請求項７】
請求項６記載の成膜装置であって、
前記ミスト噴射ヘッド部は、
前記原料溶液噴射用ノズル部に水平方向に沿って配設されており、前記反応材料を噴射する反応材料噴射用ノズル部（Ｎ２，Ｎ３，Ｎ３Ｂ）をさらに備える、
成膜装置。
【請求項８】
請求項２記載の成膜装置であって、
前記ミスト噴射ヘッド部は、
底面に設けられる前記原料溶液噴出口より、前記原料溶液を噴射する原料溶液噴射用ノズル部（Ｎ１）と、
前記原料溶液噴射用ノズル部を挟んで配設されており、底面に設けられる前記第１及び第２の反応材料噴出口より、前記第１及び第２の反応材料を噴射する第１及び第２の反応材料噴射用ノズル部（Ｎ２，Ｎ３）と、
底面に設けられる前記第１及び第２の不活性ガス噴出口より、不活性ガスを噴射する第１及び第２の不活性ガス噴射部（８３，８２）とを備え、
前記第１の不活性ガス噴射部は前記原料溶液噴射用ノズル部と前記第１の反応材料噴射用ノズル部との間に設けられ、前記第２の不活性ガス噴射部は前記原料溶液噴射用ノズル部と前記第２の反応材料噴射用ノズル部との間に設けられる、
成膜装置。
【請求項９】
請求項２記載の成膜装置であって、
前記ミスト噴射ヘッド部は、
前記原料溶液の噴射に加え、前記第１の反応材料の噴射を行う原料溶液噴射用ノズル部（Ｎ１Ｂ）と、
前記原料溶液噴射用ノズル部と隣接して配設されており、底面に前記原料溶液噴出口、前記第１及び第２の反応材料噴出口、並びに前記第１及び第２の不活性ガス噴出口を有する反応材料噴射用ノズル部（Ｎ３Ｂ）とを備え、
前記原料溶液噴射用ノズル部は、
前記原料溶液及び前記第１の反応材料を前記反応材料噴射用ノズル部に排出可能な原料溶液排出部及び第１の反応材料排出部（４１Ｂ，４２Ｂ）を有し、
前記反応材料噴射用ノズル部は、
前記第１及び第２の不活性ガス噴出口よりそれぞれ不活性ガスを噴出し、前記第２の反応材料噴出口より前記第２の反応材料を噴出するとともに、
前記原料溶液噴射用ノズル部の前記原料溶液排出部及び前記第１の反応材料排出部より排出される前記原料溶液及び前記第１の反応材料を前記原料溶液噴出口及び第１の前記反応材料噴出口に導く第１及び第２の内部通路（６１Ｂ，６３Ｂ）を有する、
成膜装置。
【請求項１０】
請求項７記載の成膜装置であって、
前記反応材料噴射用ノズル部は、
第２の空洞部（１２，１３，１３Ｂ）と、
前記第２の空洞部内に前記反応材料を供給する反応材料供給部（２，３，３Ｂ）と、
前記第２の空洞部の底面より離れた位置において、前記第２の空洞部内の側面に設けられ、前記反応材料噴出口と接続されている反応材料排出部（４２，４２Ｂ，４３）とを、有する、
成膜装置。
【請求項１１】
請求項１０記載の成膜装置であって、
前記ミスト噴射ヘッド部は、
排気口より排気処理を行う排気用ノズル部（Ｎ４）をさらに備え、
前記排気用ノズル部は、
前記原料溶液噴射用ノズル部が前記原料溶液を噴出している流量と、前記反応材料噴射用ノズル部が前記反応材料を噴出している流量との和以上の流量で、前記排気処理を行う、
成膜装置。
【請求項１２】
請求項１１記載の成膜装置であて、
前記排気用ノズル部は、
第３の空洞部（１４）と、
前記第３の空洞部の底面より離れた位置において、前記第３の空洞部内の側面に設けられ、前記排気口と接続されている排気物導入部（４４）と、
前記排気物導入部より上方に配設されており、排気物を前記第３の空洞部から前記排気用ノズル部外へと排出する排気物出口部（４）とを含む、
成膜装置。
【請求項１３】
請求項１１記載の成膜装置であって、
前記ミスト噴射ヘッド部は、
前記原料溶液噴射用ノズル部と前記排気用ノズル部との間に設けられている吹き抜け部（５８）と、
前記吹き抜け部を、前記基板の配置側から塞ぐベースプレート部（２０，２０Ｂ）とをさらに備える、
成膜装置。
【請求項１４】
請求項１３記載の成膜装置であって、
前記ベースプレート部は、
不活性ガスを噴出する第３の不活性ガス噴出口（１９４）が配設されている、
成膜装置。
【請求項１５】
請求項１１記載の成膜装置であって、
前記原料溶液噴射用ノズル部、前記反応材料噴射用ノズル部及び前記排気用ノズル部は、水平方向に並んで配置されており、
少なくとも前記排気用ノズル部は、
前記ミスト噴射ヘッド部の最外側に位置している、
成膜装置。
【発明の詳細な説明】
【技術分野】
【０００１】
この発明は、基板上に膜を成膜する成膜装置に関するものである。
【背景技術】
【０００２】
基板上に膜を成膜する方法として、化学気相成長（ＣＶＤ(Chemical Vapor Deposition)）法がある。しかしながら、化学気相成長法では真空下での成膜が必要な場合が多くなり、真空ポンプなどに加えて、大型の真空容器を用いる必要な場合がある。さらに、化学気相成長法では、コストの観点等から、成膜される基板として大面積のものを採用することが困難である、という問題があった。そこで、大気圧下における成膜処理が可能なミスト法が、注目されている。【０００３】
ミスト法を利用した成膜装置等に関する従来技術として、例えば特許文献１に係る技術が存在している。【０００４】
特許文献１に係る技術では、ミスト噴射用ノズル等を含むミスト噴射ヘッド部の底面に設けられる原料溶液噴出口及び反応材料噴出口から、大気中に配置されている基板に対してミスト化された原料溶液及び反応材料が噴射されている。当該噴射により、基板上には所定膜が成膜される。なお、反応材料は原料溶液との反応に寄与する材料を意味する。
【先行技術文献】
【特許文献】
【０００５】
【特許文献１】国際公開第２０１３／０３８４８４号
【発明の概要】
【発明が解決しようとする課題】
【０００６】
上述したように、従来の成膜装置を用いた成膜処理は、ミスト化された原料溶液と反応材料とを反応させた反応生成物を得た後、基板上に所定膜を形成する処理である。このため、従来の成膜装置では、成膜中において、ミスト噴射ヘッド部の原料溶液噴出口付近及び反応材料噴出口付近に反応生成物が付着し、上述した噴出口に目詰まりが発生してしまうという問題点があった。【０００７】
本発明では、上記のような問題点を解決し、目詰まりの発生を防止することができる、ミスト噴射ヘッド部の構造を有する成膜装置を提供することを目的とする。
【課題を解決するための手段】
【０００８】
この発明に係る成膜装置は、ミスト化された原料溶液を大気中に噴射することにより、基板に対して膜を成膜する成膜装置であって、前記基板が載置される載置部と、底面に原料溶液噴出口、反応材料噴出口及び不活性ガス噴出口を有し、前記載置部に載置されている前記基板に対し、前記原料溶液噴出口より前記原料溶液を噴射し、前記反応材料噴出口より前記原料溶液との反応に寄与する反応材料を噴射し、前記不活性ガス噴出口より不活性ガスを噴射するミスト噴射ヘッド部とを備え、前記不活性ガス噴出口は、前記原料溶液噴出口と前記反応材料噴出口との間に設けられることを特徴としている。
【発明の効果】
【０００９】
この発明の目的、特徴、局面、及び利点は、以下の詳細な説明と添付図面とによって、より明白となる。
【図面の簡単な説明】
【００１０】
【図１】この発明の実施の形態１である成膜装置のミスト噴射ヘッド部を示す断面図である。
【図２】図１のＡ−Ａ断面構造を示す断面図である。
【図３】実施の形態１のミスト噴射ヘッド部を底面側から見た平面図である。
【図４】実施の形態１のベースプレート部の外観構造等を示す説明図である。
【図５】この発明の実施の形態２である成膜装置のミスト噴射ヘッド部を示す断面図である。
【図６】図５のＣ−Ｃ断面構造を示す断面図である。
【図７】実施の形態２のミスト噴射ヘッド部を底面側から見た平面図である。
【図８】実施の形態２のベースプレート部の外観構造等を示す説明図である。
【発明を実施するための形態】
【００１１】
以下、この発明をその実施の形態を示す図面に基づいて具体的に説明する。
【００１２】
＜実施の形態１＞
（全体構成）
図１は、この発明の実施の形態１である成膜装置の主要構成部であるミスト噴射ヘッド部１００及びその周辺を示す断面図である。図２は図１のＡ−Ａ断面構造を示す断面図である。なお、図１及び図２並びに以降で示す図３〜図８において、それぞれＸＹＺ直交座標軸を併記している。
【００１３】
実施の形態１の成膜装置は、ミスト噴射ヘッド部１００により、ミスト化された原料溶液を大気中に噴射することにより、基板２３に対して膜を成膜する。つまり、成膜装置は、大気中での成膜処理であるミスト法により、基板２３上に所望の膜を成膜する装置である。
【００１４】
具体的に、原料溶液は、図示されていない容器に収容されており、当該容器において、超音波振動を利用して、原料溶液はミスト化される。そして、ミスト化された原料溶液は、キャリアガスと共に、図示していない経路を通って、ミスト噴射ヘッド部１００へと搬送される。
【００１５】
加熱器でもある載置部２４上には、基板２３が配置されている。つまり、載置部２４は、基板２３の加熱が可能である。そして、基板２３の上方に、ミスト噴射ヘッド部１００が配置される。
【００１６】
すなわち、基板２３の上面とミスト噴射ヘッド部１００の底面が所定距離隔てて対向するように配置される。ここで、成膜処理時には、ミスト噴射ヘッド部１００の底面と基板２３の上面との間隔は、０．１ｍｍ〜５０ｍｍ程度に設定される。なお、ミスト噴射ヘッド部１００及び基板２３は、大気圧下に配置されている。ここで、ミスト噴射ヘッド部１００の底面と基板２３の上面との間に形成される空間を、「反応空間」と称することとする。
【００１７】
載置部２４によって所定の温度で加熱されている基板２３に対して、ミスト噴射ヘッド部１００は、ミスト化された原料溶液を噴射する。これにより、基板２３の上面に所望の膜が、成膜される。なお、成膜処理のときには、載置部２４は、水平方向（ＸＹ平面内で規定される所定方向）に移動する。または、ミスト噴射ヘッド部１００は、上記水平方向に移動する。
【００１８】
以下、ミスト噴射ヘッド部１００の構成について、図を用いて具体的に説明する。
【００１９】
図１に示すように、ミスト噴射ヘッド部１００は、原料溶液噴射用ノズル部Ｎ１と、２つの反応材料噴射用ノズル部Ｎ２及びＮ３と、排気用ノズル部Ｎ４と、ベースプレート部２０とを有する。
【００２０】
図１に示すように、反応材料噴射用ノズル部Ｎ３、原料溶液噴射用ノズル部Ｎ１、反応材料噴射用ノズル部Ｎ２及び排気用ノズル部Ｎ４は、当該順に、Ｘ方向に沿って並んで配設されている。なお、図１で示す構成と異なり、反応材料噴射用ノズル部Ｎ２、原料溶液噴射用ノズル部Ｎ１、反応材料噴射用ノズル部Ｎ３及び排気用ノズル部Ｎ４は、当該順に、Ｘ方向に沿って並んで配設されていても良い。
【００２１】
また、原料溶液噴射用ノズル部Ｎ１と反応材料噴射用ノズル部Ｎ２及びＮ３とは不活性ガス噴射部８２及び８３を介して設けられているが、反応材料噴射用ノズル部Ｎ２の側面と排気用ノズル部Ｎ４の側面との間には、所定の距離だけ離れている。つまり、原料溶液噴射用ノズル部Ｎ１と反応材料噴射用ノズル部Ｎ２及びＮ３とは、不活性ガス噴射部８２及び８３を介してＸ方向（水平方向）に沿って隙間無く配設されているが、排気用ノズル部Ｎ４は、他のノズル部Ｎ１〜Ｎ３とは、Ｘ方向に離れて（空間を隔てて）配置されている。
【００２２】
上記のように、原料溶液噴射用ノズル部Ｎ１、反応材料噴出用ノズル部Ｎ２及びＮ３並びに排気用ノズル部Ｎ４は、水平方向（Ｘ方向）に並んで配置されている。ここで、少なくとも排気用ノズル部Ｎ４は、ミスト噴射ヘッド部１００の最外側（図１では右端（＋Ｘ方向））に位置している。
【００２３】
（原料溶液噴射用ノズル部Ｎ１）
まず、原料溶液噴射用ノズル部Ｎ１の構成について説明する。
【００２４】
原料溶液噴射用ノズル部Ｎ１は、ミスト化された原料溶液を底面に形成された原料溶液噴出口１５から噴射するノズルである。原料溶液噴射用ノズル部Ｎ１には、内部に空洞部１１（第１の空洞部）が形成されている。また、原料溶液噴射用ノズル部Ｎ１の上面には、原料溶液供給部１が配設されている。上記で述べた通り、ミスト噴射ヘッド部１００の外部において、原料溶液はミスト化される。ミスト化された原料溶液は、キャリアガスと共に、図示していない経路を通って、原料溶液供給部１へと搬送される。原料溶液供給部１から得られるミスト化された原料は、原料溶液噴射用ノズル部Ｎ１内の空洞部１１へと充満する（供給される）。
【００２５】
また、原料溶液噴射用ノズル部Ｎ１の空洞部１１内において、両側面部に、複数の整流部６（第１の整流部）が配設されている。当該整流部６は、整流板であり、原料溶液供給部１から供給されたミスト化された原料溶液の、空洞部１１内の流れを整えることができる。具体的には、空洞部１１内において互いに対向する両側面からＸＹ平面に沿って、平面視して矩形状の複数の整流部６がそれぞれの形成高さを交互に変えながら配設される。複数の整流部６はそれぞれ対向する側面に達することなく、対向する側面との間に隙間が形成されるように構成される。
【００２６】
複数の整流部６の下方に空洞部１１の主要部が設けられる。複数の整流部６の上方の（空洞部１１の）小空間は、複数の整流部６により形成される隙間を通じて、空洞部１１（の主要部）と接続されており、空洞部１１は、後述する原料溶液排出部４１に接続されている。
【００２７】
原料溶液排出部４１は、空洞部１１において、一方の側面部（図１では左（−Ｘ方向）側の側面）に配設されている。また、原料溶液排出部４１は、原料溶液噴射用ノズル部Ｎ１（空洞部１１）の底面から離れた位置において、配設されている。
【００２８】
一方、前述したように、ミスト噴射ヘッド部１００の底面、つまりミスト噴射ヘッド部１００の基板２３の上面に対応する面において、原料溶液噴出口１５が配設されている。ここで、原料溶液噴出口１５から、ミスト化された原料溶液が基板２３の上面に対して噴出される。
【００２９】
ミスト噴射ヘッド部１００内には、Ｚ方向に延びる通路６１が配設されている。そして、原料溶液排出部４１は、通路６１を介して、原料溶液噴出口１５と接続されている。
【００３０】
図３は、ミスト噴射ヘッド部１００を基板２３の配設側（−Ｚ方向側）から見た平面図である。つまり、図３は、ミスト噴射ヘッド部１００の底面構造を示す平面図である。同図に示すように、ミスト噴射ヘッド部１００の底面はＸ方向（第２の方向）及びＹ方向（第１の方向）で規定される矩形状を呈している。
【００３１】
図３に示すように、原料溶液噴出口１５は、平面視して長手方向をＹ方向（第１の方向）とした細長い開口穴であるスリット状を呈している。なお、原料溶液噴出口１５の開口部の幅（図３のＸ方向の寸法）は、０．１ｍｍ〜１０ｍｍ程度である。
【００３２】
原料溶液噴射用ノズル部Ｎ１では、ミスト化された原料溶液は、原料溶液供給部１から、空洞部１１内に供給される。そして、当該原料溶液は、複数の整流部６により整流され、複数の整流部６の上方の小空間に充満した後、空洞部１１へと導かれ、空洞部１１において充満する。その後、ミスト化された原料溶液は、原料溶液排出部４１から、通路６１を介して、原料溶液噴出口１５へと導かれる。そして、ミスト化された原料溶液は、原料溶液噴出口１５から、基板２３の上面に向けて、噴出される。
【００３３】
（反応材料噴射用ノズル部Ｎ２及びＮ３）
次に、反応材料噴射用ノズル部Ｎ２及びＮ３（第１及び第２の反応材料噴射用ノズル部）構成について説明する。なお、反応材料噴射用ノズル部Ｎ２及びＮ３は噴射する第１及び第２の反応材料が互いに独立している点及び形成位置を除き、同一構成であるため、以下では反応材料噴射用ノズル部Ｎ２を中心に、適宜、反応材料噴射用ノズル部Ｎ３の説明を付記して説明する。
【００３４】
なお、反応材料噴射用ノズル部Ｎ２及びＮ３間において、複数の整流部７及び８、反応材料供給部２及び３、空洞部１２及び１３、反応材料排出部４２及び４３、通路６２及び６３、並びに反応材料噴出口１６及び１７（第１及び第２の反応材料噴出口）が互いに対応する関係となる。なお、反応材料噴射用ノズル部Ｎ２及びＮ３で用いる第１及び第２の反応材料は同じ、または相違していても良い。
【００３５】
反応材料噴射用ノズル部Ｎ２は、原料溶液との反応に寄与する反応材料（例えば、酸化剤）を基板２３に対して噴出するノズルである。反応材料噴射用ノズル部Ｎ２には、内部に空洞部１２（第２の空洞部）が形成されている。また、反応材料噴射用ノズル部Ｎ２の上面には、反応材料供給部２が配設されている。反応材料（第１の反応材料）は、反応材料噴射用ノズル部Ｎ２外から、反応材料供給部２を介して、空洞部１２内へと供給される。一方、反応材料噴射用ノズル部Ｎ３において、反応材料（第２の反応材料）は、反応材料噴射用ノズル部Ｎ３外から、上面に設けられる反応材料供給部３を介して、空洞部１３内へと供給される。
【００３６】
ここで、第１及び第２の反応材料は、気体であっても液体であっても良い。液体の場合には、超音波振動等を利用してミスト化された液体（反応材料）が、キャリアガスと共に、図示していない経路を通って、反応材料噴射用ノズル部Ｎ２（Ｎ３）内へと搬送される。反応材料供給部２（３）から得られる第１の反応材料（第２の反応材料）は、反応材料噴射用ノズル部Ｎ２（Ｎ３）内の空洞部１２（１３）へと充満する（供給される）。
【００３７】
また、反応材料噴射用ノズル部Ｎ２の空洞部１２内において、複数の整流部７（第２の整流部）が配設されている。当該整流部７は、整流板であり、反応材料供給部２から供給された反応材料の、主として空洞部１２内の流れを整えることができる。具体的には、空洞部１２内において互いに対向する両側面からＸＹ平面に沿って、平面視して矩形状の複数の整流部７がそれぞれの形成高さを交互に変えながら配設される。複数の整流部７はそれぞれ対向する側面に達することなく、対向する側面との間に隙間が形成されるように構成される。
【００３８】
反応材料噴射用ノズル部Ｎ２（Ｎ３）において、複数の整流部７（８）の上方の（空洞部１２の）小空間と、空洞部１２（１３）の主要部とは、複数の整流部７（８）により形成される隙間を通じて接続されている。また、上記小空間は、反応材料供給部２（３）と接続されており、空洞部１２（１３）は、後述する反応材料排出部４２（４３）に接続されている。
【００３９】
反応材料排出部４２は、空洞部１２において、一方の側面部（図１では左（−Ｘ方向）側の側面）に配設されている。また、反応材料排出部４２は、反応材料噴射用ノズル部Ｎ２（空洞部１２）の底面から離れた位置において、配設されている。
【００４０】
一方、ミスト噴射ヘッド部１００は、当該ミスト噴射ヘッド部１００の底面、つまりミスト噴射ヘッド部１００の基板２３に面する側において、反応材料噴出口１６が配設されている。ここで、反応材料噴出口１６から、反応材料が基板２３の上面に対して噴出される。
【００４１】
ミスト噴射ヘッド部１００内には、Ｚ方向に沿って通路６２（６３）が配設されている。そして、反応材料排出部４２（４３）は、通路６２（６３）を介して、反応材料噴出口１６（１７）と接続されている。図３に示すように、反応材料噴出口１６及び１７はそれぞれ、平面視して長手方向をＹ方向（第１の方向）とした細長い開口穴であるスリット状を呈している。なお、反応材料噴出口１６及び１７それぞれの開口部の幅（図３のＸ方向の寸法）は、０．１ｍｍ〜１０ｍｍ程度である。
【００４２】
反応材料噴射用ノズル部Ｎ２（Ｎ３）では、反応材料は、反応材料供給部２（３）から、空洞部１２（１３）内に供給される。そして、当該反応材料は、複数の整流部７（８）により整流され、複数の整流部７（８）上の小空間に充満した後、空洞部１２（１３）の主要部へと導かれ、空洞部１２（１３）において充満する。その後、反応材料は、反応材料排出部４２（４３）から、通路６２（６３）を介して、反応材料噴出口１６（１７）へと導かれる。そして、反応材料は、反応材料噴出口１６から、基板２３の上面に向けて、噴出される。
【００４３】
（排気用ノズル部Ｎ４）
次に、排気用ノズル部Ｎ４の構成について説明する。
【００４４】
排気用ノズル部Ｎ４は、排気処理を行うノズルである。排気用ノズル部Ｎ４は、原料溶液噴射用ノズル部Ｎ１が原料溶液を噴出している流量（Ｑ１）と、反応材料噴出用ノズル部Ｎ２（Ｎ３）が反応材料を噴出している流量（Ｑ２及びＱ３）と、の和以上の流量（Ｑ４）で、排気処理を行う。つまり、｛排気流量Ｑ４≧原料溶液の噴出流量Ｑ１＋反応材料の噴出流量Ｑ２＋Ｑ３｝である。
【００４５】
排気用ノズル部Ｎ４には、内部に空洞部１４（第３の空洞部）が形成されている。また、排気用ノズル部Ｎ４の上面には、排気物出口部４が配設されている。排気物出口部４は、排気用ノズル部Ｎ４の上面に配設されており、具体的には、後述する排気物導入部４４より上方に配設されており、排気物を空洞部１４から排気用ノズル部Ｎ４外へと排出する。
【００４６】
ここで、排気物とは、反応空間からの反応残渣等である。排気物出口部４は、図示していない経路を介して、図示していない排気ポンプに接続されている。つまり、排気物は、排気物出口部４及び上記経路を介して、排気用ノズル部Ｎ４から上記排気ポンプへと吸引される。
【００４７】
また、排気用ノズル部Ｎ４の空洞部１４内において、複数の整流部９（第３の整流部）が配設されている。当該整流部９は、整流板であり、排気物出口部４から排出するための排気物の、主として空洞部１４内の流れを整えることができる。具体的には、空洞部１４内において互いに対向する両側面からＸＹ平面に沿って、平面視して矩形状の複数の整流部９がそれぞれの形成高さを交互に変えながら配設される。複数の整流部９はそれぞれ対向する側面に達することなく、対向する側面との間に隙間が形成されるように構成される。
【００４８】
複数の整流部９の配設により、空洞部１４は、排気用ノズル部Ｎ４の空洞部１４を、複数の小空間に区画する。ここで、隣接する小空間同士は、複数の整流部９により形成される小さい隙間を介して接続される。複数の小空間には、排気用ノズル部Ｎ４の最上部に位置する（空洞部１４の）小空間が含まれ、複数の整流部９の下方が空洞部１４の主要部となる。ここで、複数の整流部９上方の小空間は、排気物出口部４と接続されており、空洞部１４（の主要部）は、後述する排気物導入部４４に接続されている。
【００４９】
排気物導入部４４は、空洞部１４において、上記他方の側面部に配設されている。また、排気物導入部４４は、排気用ノズル部Ｎ４の空洞部１４の底面から離れた位置において、配設されている。
【００５０】
一方、ミスト噴射ヘッド部１００は、ミスト噴射ヘッド部１００の底面、つまり反応材料噴射用ノズル部Ｎ２の底面において、排気口１８が配設されている。ここで、当該排気口１８は、反応空間に対して排気処理を行う。
【００５１】
ミスト噴射ヘッド部１００内には、Ｙ方向に沿って通路６４が配設されている。そして、排気物導入部４４は、通路６４を介して、排気口１８と接続されている。図３に示すように、排気口１８は平面視して長手方向をＹ方向（第１の方向）とした細長い開口穴であるスリット状を呈している。なお、排気口１８の開口部の幅（図３のＸ方向の寸法）は、０．１ｍｍ〜１０ｍｍ程度である。
【００５２】
（不活性ガス噴射部）
実施の形態１のミスト噴射ヘッド部１００の端部（図１の左（−Ｘ方向）側端部）において、不活性ガス噴射部８１は枠部３０または枠部３０に隣接する領域に配設されている。
【００５３】
さらに、ミスト噴射ヘッド部１００は、不活性ガス噴射部８１に加え、原料溶液噴射用ノズル部Ｎ１，反応材料噴射用ノズル部Ｎ３間に不活性ガス噴射部８２、原料溶液噴射用ノズル部Ｎ１，反応材料噴射用ノズル部Ｎ２間に不活性ガス噴射部８３を設けたことを特徴としている。
【００５４】
不活性ガス噴射部８１は主として不活性ガス供給部５１、通路７１及び不活性ガス噴出口１９１より構成され、不活性ガス噴射部８２は主として不活性ガス供給部５２、通路７２及び不活性ガス噴出口１９２（第２の不活性ガス噴出口）より構成され、不活性ガス噴射部８３は主として不活性ガス供給部５３、通路７３及び不活性ガス噴出口１９３（第１の不活性ガス噴出口）により構成される。
【００５５】
図２に示すように、不活性ガス噴射部８２において、外部から不活性ガス供給部５２に導入される不活性ガスは通路７２を介して、ミスト噴射ヘッド部１００（不活性ガス噴射部８２）の底面に形成される不活性ガス噴出口１９２から噴出される。不活性ガス供給部５１及び５３も不活性ガス供給部５２と同様、通路７１及び７３を介して、ミスト噴射ヘッド部１００（不活性ガス噴射部８１及び８３）の底面に形成される不活性ガス噴出口１９１及び１９３から不活性ガスを噴出する。なお、不活性ガスとしては窒素，アルゴン等が考えられる。
【００５６】
不活性ガス供給部５１〜５３は不活性ガス噴出口１９１〜１９３に連通しているが、不活性ガス供給部５１〜５３それぞれの開口面積は、不活性ガス噴出口１９１〜１９３それぞれの開口面積以上に設定すること望ましい。
【００５７】
さらに、不活性ガス噴出口１９１〜１９３により不活性ガスを噴出している流量は、原料溶液噴出口１５により原料溶液を噴出している流量及び反応材料噴出口１６及び１７により反応材料を噴出している流量それぞれ以下に設定することが望ましい。
【００５８】
なお、不活性ガス噴射部８２及び８３は形成位置及び用いる反応材料を除く全体構成は同一である。
【００５９】
さらに、図２に示すように、Ｙ方向両端部に設けられた２つの不活性ガス供給部５５に導入される不活性ガスが、それぞれ通路７５を介してミスト噴射ヘッド部１００の底面に形成された２つの不活性ガス噴出口１９５から噴出される。
【００６０】
このように、不活性ガス噴出口１９５は、上述した枠部３０または枠部３０に隣接する領域に配設されている。
【００６１】
上述した構成により、不活性ガス噴射部８１〜８３の不活性ガス供給部５１〜５３及び不活性ガス供給部５５を介して、ミスト噴射ヘッド部１００の外部から送られてきた不活性ガスは、ミスト噴射ヘッド部１００内へ供給される。通路７１〜７３及び通路７５は、ミスト噴射ヘッド部１００内に配設されており、当該供給された不活性ガスは、通路７１〜７３及び通路７５内を伝搬する。不活性ガス噴出口１９１〜１９３及び不活性ガス噴出口１９５は、ミスト噴射ヘッド部１００の底面（基板２３に面する側）に配設されており、不活性ガス噴出口１９１〜１９３及び不活性ガス噴出口１９５から、不活性ガスが基板２３の上面に向けて噴射される。
【００６２】
図４はベースプレート部２０をＹ方向から視た外観構造等を示す説明図である。同図(a) は、ミスト噴射ヘッド部１００を左側面（−Ｘ方向）から視た側面図であり、(b) は正面（＋Ｙ方向）から視た正面図である。なお、図４(a) のＢ−Ｂ断面構造が図１で示す断面図となる。
【００６３】
上述したように、排気用ノズル部Ｎ４は、他のノズル部Ｎ１〜Ｎ３とは、Ｘ方向に離れて配置されている。したがって、排気用ノズル部Ｎ４と他のノズル部Ｎ１〜Ｎ３との間には、吹き抜け部５８が生じる。そこで、ミスト噴射ヘッド部１００は、ベースプレート部２０を備えている。ベースプレート部２０は、吹き抜け部５８を、基板２３配置側から塞いでいる（図１，図３，図４(b) 参照）。そして、ベースプレート部２０の上面上に排気用ノズル部Ｎ４が設けられる。
【００６４】
図１、図３及び図４(b) に示すように、実施の形態１のミスト噴射ヘッド部１００のベースプレート部２０には、不活性ガス供給部５４（図４(b) 参照）と、通路７４（図１，図３参照）と、複数の不活性ガス噴出口１９４（第３の不活性ガス噴出口）とが設けられている。
【００６５】
ベースプレート部２０において、不活性ガス供給部５４を介して、ミスト噴射ヘッド部１００の外部から送られてきた不活性ガスは、ベースプレート部２０へ供給される。通路７４は、ベースプレート部２０内に配設されており、当該供給された不活性ガスは、通路７４内を伝搬する。複数の不活性ガス噴出口１９４は、ベースプレート部２０の底面（基板２３に面する側）に配設されており、複数の不活性ガス噴出口１９４から、不活性ガスが基板２３の上面に向けて噴射される。
【００６６】
図３に示すように、不活性ガス噴出口１９１〜１９４はそれぞれ、平面視して長手方向をＹ方向（第１の方向）とした細長い開口穴であるスリット状である。一方、不活性ガス噴出口１９５は、平面視して長手方向をＸ方向（第２の方向）とした細長い開口穴であるスリット状である。なお、不活性ガス噴出口１９１〜１９５それぞれの開口部の幅（不活性ガス噴出口１９１〜１９４は図５及び図６のＸ方向の寸法、不活性ガス噴出口１９５は図５及び図６のＹ方向側の寸法）は、０．１ｍｍ〜１０ｍｍ程度である。
【００６７】
したがって、不活性ガス噴出口１９２（第２の不活性ガス噴出口）は原料溶液噴出口１５と反応材料噴出口１７（第２の反応材料噴出口）との間に設けられ、不活性ガス噴出口１９３（第１の不活性ガス噴出口）は原料溶液噴出口１５と反応材料噴出口１６（第１の反応材料噴出口）との間に設けられる。すなわち、実施の形態１のミスト噴射ヘッド部１００において、不活性ガス噴出口１９３及び１９２は、原料溶液噴出口１５と反応材料噴出口１６及び１７との間に設けられることを特徴としている。
【００６８】
さらに、図１及び図４(b) に示す実施の形態１のベースプレート部２０には、内部において、温度調節機構２２が配設されている。温度調節機構２２は、ベースプレート部２０において、温度の調整を行うことができる。具体的には、温度調節機構２２を構成する穴部に冷媒、ヒーターを設けることにより実現する。
【００６９】
図１及び図３に示すように、反応材料噴出口１７、原料溶液噴出口１５、反応材料噴出口１６及び排気口１８は、当該順に、Ｘ方向に配置されている。なお、図とは異なるが、反応材料噴出口１６、原料溶液噴出口１５、反応材料噴出口１７及び排気口１８は、当該順に、Ｘ方向に配置されていても良い。
【００７０】
以上の説明したように、実施の形態１のミスト噴射ヘッド部１００では、原料溶液噴射用ノズル部Ｎ１の底面、反応材料噴射用ノズル部Ｎ２及びＮ３の底面、並びにベースプレート部２０の底面が面一になるように構成される。したがって、原料溶液噴出口１５、反応材料噴出口１６及び１７、不活性ガス噴出口１９２〜１９４はミスト噴射ヘッド部１００における面一の底面に設けられることになる。
【００７１】
また、図３を参照して、ミスト噴射ヘッド部１００は、基板２３に面している側（底面）において、ミスト噴射ヘッド部１００の枠部３０を有する。枠部３０は、ミスト噴射ヘッド部１００の底面の縁近傍の部分であり、ミスト噴射ヘッド部１００の底面内部側を周囲から取り囲むように、縁取られている部分である。そして、図１から分かるように、枠部３０は、基板２３側に突出している。この突出長は例えば０．１から１０ｍｍに設定される。
【００７２】
つまり、枠部３０により、反応空間は囲繞されている。ただし、枠部３０の端部と基板２３の上面とは、接触していない。
【００７３】
反応空間に、ミスト噴射ヘッド部１００の原料溶液噴出口１５並びに反応材料噴出口１６及び１７からミスト化された原料溶液並びに２つの反応材料が噴射されると、加熱されている基板２３上において、原料溶液と２つの反応材料とが反応し、基板２３の上面に所望の膜が成膜される。なお、反応空間内の反応残渣等は、排気用ノズル部Ｎ４により、反応空間から排除される。
【００７４】
また、実施の形態１のミスト噴射ヘッド部１００では、原料溶液噴射用ノズル部Ｎ１内及び反応材料噴射用ノズル部Ｎ２，Ｎ３内それぞれにおいても、ベースプレート部２０と同様、温度調節機構２２が配設されている。
【００７５】
（効果等）
実施の形態１のミスト噴射ヘッド部１００は、不活性ガス噴射部８３（第１の不活性ガス噴射部）は原料溶液噴射用ノズル部Ｎ１と反応材料噴射用ノズル部Ｎ２との間に設けられ、不活性ガス噴射部８２（第２の不活性ガス噴射部）は原料溶液噴出口１５と反応材料噴射用ノズル部Ｎ３との間に設けられる。
【００７６】
上記構成の実施の形態１のミスト噴射ヘッド部１００は、原料溶液噴射用ノズル部Ｎ１、反応材料噴射用ノズル部Ｎ２及びＮ３及び不活性ガス噴射部８２及び８３の組み合わせにより、不活性ガス噴出口１９３及び１９２は、原料溶液噴出口１５と反応材料噴出口１６及び１７との間に設けられることを特徴としている。
【００７７】
このため、実施の形態１の成膜装置において、不活性ガス噴出口１９２及び１９３からの不活性ガスの噴出により、原料溶液噴出口１５付近並びに反応材料噴出口１６及び１７付近それぞれへの反応生成物の付着を低減することができ。その結果、原料溶液噴出口１５並びに反応材料噴出口１６及び１７それぞれの目詰まりを確実に回避することができる効果を奏する。
【００７８】
また、実施の形態１のミスト噴射ヘッド部１００の底面に形成される噴出口１５〜１７及び不活性ガス噴出口１９１〜１９４は、第１の方向（Ｙ方向）を長手方向としたスリット状に形成される。したがって、大面積の基板２３に対して、均等に、ミスト化された原料溶液を噴霧することができる。
【００７９】
さらに、載置部２４またはミスト噴射ヘッド部１００は、水平方向に移動可能である。したがって、大面積の基板２３の全面に対しても、本実施の形態に係る成膜装置（ミスト噴射ヘッド部１００）を用いた成膜処理が可能となる。
【００８０】
例えば、ミスト噴射ヘッド部１００をＸ方向に移動させつつ、成膜装置による成膜処理を行うことにより、基板２３の上面上に均一にミスト化された原料溶液等を噴射することができる。
【００８１】
また、反応材料噴出口１６（１７）をスリット状で形成することにより、大面積の基板２３の上面に対して、均等に、反応材料を噴霧することができる。
【００８２】
加えて、排気口１８をスリット状で形成することにより、より広範囲に亘って、排気処理が可能となる。また、原料溶液等が排気口１８へ向かうＸ方向の流れを、均等にすることができる。
【００８３】
さらに、実施の形態１の成膜装置では、不活性ガス供給部５１〜５３それぞれの開口面積を、不活性ガス噴出口１９１〜１９３それぞれの開口面積以上、すなわち、不活性ガス噴出口１９１〜１９３それぞれの開口面積を不活性ガス供給部５１〜５３それぞれの開口面積以下に設定することにより、不活性ガス噴出口１９１等と不活性ガス供給部５１との間に圧力差を設定することができ、成膜時に不活性ガスを基板２３上面上に均一に広げることができる効果を奏する。
【００８４】
加えて、実施の形態１の成膜装置において、不活性ガス噴出口１９２及び１９３により不活性ガスを噴出している流量を、原料溶液噴出口１５により原料溶液を噴出している流量及び反応材料噴出口１６及び１７により反応材料を噴出している流量それぞれ以下に設定している。
【００８５】
このため、実施の形態１の成膜装置は、不活性ガスの噴出によって、原料溶液と反応材料との反応を阻害する現象を抑制することができる。
【００８６】
さらに、実施の形態１による成膜装置のミスト噴射ヘッド部１００は、原料溶液噴射用ノズル部Ｎ１を有している。そして、原料溶液噴射用ノズル部Ｎ１は、空洞部１１内に、空洞部１１の底面より離れた位置において、一方の側面側に原料溶液排出部４１が配設されている。
【００８７】
したがって、原料溶液噴射用ノズル部Ｎ１内の空洞部１１で、原料溶液と残留水分とが反応し、パーティクルが生成されたとしても、当該パーティクルは、空洞部１１における、底面から原料溶液排出部４１までの間の領域に、トラップされる。つまり、空洞部１１における当該領域は、パーティクルトラップとして機能し、当該領域内には、パーティクルが捕獲され、原料溶液排出部４１、通路６１及び原料溶液噴出口１５へと搬送されることを防止できる。よって、各部分４１，６１，１５において、パーティクルが付着し、目詰まりが発生することも防止できる。
【００８８】
また、上記と異なり、複数の整流部６の配設を省略することもできるが、原料溶液噴射用ノズル部Ｎ１内の空洞部１１には、複数の整流部６が配設されている。
【００８９】
したがって、空洞部１１内におけるミスト化された原料溶液の流れを整えることができ、パーティクルトラップとして機能している上記領域における、パーティクルの捕獲をより確実にする。
【００９０】
なお、複数の整流部６のうち最下段の整流部６が取り付けられている側面部と、原料溶液排出部４１が配設されている側面とは同じである（両方共、一方の側面部（左側）に配設されている）。よって、液滴等が、一方の側面部を伝って、原料溶液排出部４１へと流れることも防止できる。
【００９１】
また、上記と異なり、反応材料噴射用ノズル部Ｎ２及びＮ３の配設を省略することもできるが、ミスト噴射ヘッド部１００は、反応材料噴射用ノズル部Ｎ２及びＮ３を有している。したがって、大気中における成膜処理における、反応促進が可能となる。また、多種多様の膜を成膜することもできる。
【００９２】
さらに、実施の形態１のミスト噴射ヘッド部１００は、二つの反応材料噴射用ノズル部Ｎ２，Ｎ３を有する。ここで、原料溶液噴射用ノズル部Ｎ１は、反応材料噴射用ノズル部Ｎ２（第１の反応材料噴射用ノズル部）と反応材料噴射用ノズル部Ｎ３（第２の反応材料噴射用ノズル部）とにより、側方から挟まれている。
【００９３】
したがって、反応空間に、異なる反応材料を噴出することができる。よって、基板２３上に多種の膜を成膜することが可能となる。また、反応材料噴射用ノズル部Ｎ２，Ｎ３から同じ反応材料を噴出させた場合には、基板２３上における所望の膜の成膜速度を向上させることができる。
【００９４】
また、反応材料噴射用ノズル部Ｎ２，Ｎ３はそれぞれ温度調節機構２２を有している。したがって、例えば、反応材料噴射用ノズル部Ｎ２，Ｎ３内に溜まった液滴を蒸発させることができる。よって、当該蒸発した反応材料を、反応材料噴射用ノズル部Ｎ２，Ｎ３から噴射させる反応材料として、利用することができる。
【００９５】
なお、原料溶液噴射用ノズル部Ｎ１においても、温度調節機構２２が配設されている。したがって、例えば、原料溶液のミスト状態を維持することができる。つまり、原料溶液噴射用ノズル部Ｎ１から噴射される原料溶液の液滴が大きくなり、大きな液滴となった原料溶液が基板２３の上面に滴下されることを防止できる。
【００９６】
また、ベースプレート部２０の底面には、基板２３に対して不活性ガスを噴射する複数の不活性ガス噴出口１９４（第３の不活性ガス噴出口）が配設されている。したがって、ベースプレート部２０の下方に存する原料溶液等を基板２３の上面上に押し付けることが可能となる。したがって、原料溶液等の利用効率を向上させることができる。
【００９７】
また、ベースプレート部２０は、温度調節機構２２を有している。したがって、反応空間における、原料溶液等のミスト状態の維持が可能となる。また、ベースプレート部２０における液滴の付着を防止できる。さらに、基板２３上における成膜反応の促進を図ることもできる。
【００９８】
また、ミスト噴射ヘッド部１００の枠部３０または枠部３０の近傍において、基板２３に対して不活性ガスを噴射する不活性ガス噴出口１９１，１９５が配設されている。したがって、不活性ガスにより、反応空間を囲繞することができ、反応空間から原料溶液等が拡散することを抑制することができる。
【００９９】
また、反応材料噴射用ノズル部Ｎ２（Ｎ３）は、空洞部１２（１３）内に、空洞部１２の底面より離れた位置において、一方の側面側に反応材料排出部４２（４３）が配設されている。
【０１００】
したがって、反応材料噴射用ノズル部Ｎ２（Ｎ３）内の空洞部１２（１３）で、反応材料と大気とが反応し、パーティクルが生成されたとしても、当該パーティクルは、空洞部１２における、底面から反応材料排出部４２（４３）までの間の領域に、トラップされる。つまり、空洞部１２（１３）における当該領域は、パーティクルトラップとして機能し、当該領域内には、パーティクルが捕獲され、反応材料排出部４２（４３）、通路６２（６３）及び反応材料噴出口１６（１７）へと搬送されることを防止できる。よって、各部分４２，６２，１６（４３，６３，１７）において、パーティクルが付着し、目詰まりが発生することも防止できる。
【０１０１】
また、上記と異なり、複数の整流部７の配設を省略することもできるが、反応材料噴射用ノズル部Ｎ２（Ｎ３）内の空洞部１２（１３）には、複数の整流部７（８）が配設されている。
【０１０２】
したがって、空洞部１２（１３）内における反応材料の流れを整えることができ、パーティクルトラップとして機能している上記領域における、パーティクルの捕獲をより確実にする。なお、空洞部１２内において、複数の整流部７（８）のうち最下段の整流部７（８）が取り付けられている側面部と、反応材料排出部４２（４３）が配設されている側面とは同じである（両方共、一方の側面部（左側の側面部）に配設されている）。よって、液滴等が、一方の側面部を伝って、反応材料排出部４２（４３）へと流れることも防止できる。
【０１０３】
また、上記と異なり、排気用ノズル部Ｎ４の配設を省略することもできるが、ミスト噴射ヘッド部１００は、排気用ノズル部Ｎ４を有している。したがって、排気用ノズル部Ｎ４へと移動する、原料溶液及び反応材料の流れを作り出すことができる。よって、反応空間における原料溶液等の流れが乱れることを防止でき、成膜される膜の膜質を向上させることができる。また、反応空間から外側に原料溶液等が拡散することを抑制することができる。
【０１０４】
また、排気処理において、｛排気流量Ｑ４≧原料溶液の噴出流量Ｑ１＋反応材料の噴出流量Ｑ２＋Ｑ３｝を満足するように流量が制御される。したがって、反応空間内に噴射された、原料溶液及び２つの反応材料が、反応空間内の上記流れをより確実にすることができる。また、原料溶液及び２つの反応材料が、反応空間から外側に拡散することを確実に防止できる。
【０１０５】
また、反応材料噴射用ノズル部Ｎ３、原料溶液噴射用ノズル部Ｎ１、反応材料噴射用ノズル部Ｎ２及び排気用ノズル部Ｎ４は、Ｘ方向（水平方向）に並んで配置されており、少なくとも排気用ノズル部Ｎ４は、ミスト噴射ヘッド部１００の最外側に位置している。
【０１０６】
したがって、反応空間において、原料溶液及び２つの反応材料は、ミスト噴射ヘッド部１００の最外側まで移動する。したがって、原料溶液及び反応材料と基板２３とが接触する領域が、最大となり、反応空間における原料溶液等の未反応を最小化にすることができる。
【０１０７】
また、排気用ノズル部Ｎ４は、空洞部１４内に、空洞部１４の底面より離れた位置において、他方の側面側に排気物導入部４４が配設されている。
【０１０８】
したがって、排気物導入部４４から空洞部１４内に取り込まれた排気物は、空洞部１４における、底面から排気物導入部４４までの間の領域に、トラップされる。つまり、空洞部１４における当該領域は、パーティクルトラップとして機能し、当該領域内には、粒径の大きな排気物が捕獲され、排気物出口部４より先に、粒径が大きな排気物が流れることを防止できる。これにより、排気ポンプに配設されるフィルターの寿命を長くすることができる。
【０１０９】
また、上記と異なり、複数の整流部９の配設を省略することもできるが、排気用ノズル部Ｎ４内の空洞部１４には、複数の整流部９が配設されている。
【０１１０】
したがって、排気物出口部４より先に、粒径が大きな排気物が流れることをより確実に防止することができる。これにより、排気ポンプに配設されるフィルターの寿命をより長くすることができる。
【０１１１】
また、ミスト噴射ヘッド部１００は、吹き抜け部５８を基板２３側から塞ぐベースプレート部２０を有している。したがって、排気用ノズル部Ｎ４を他のノズル部Ｎ１〜Ｎ３から離して配置させたとしても、反応空間から吹き抜け部５８へと、原料溶液等が流れることを防止できる。また、ミスト噴射ヘッド部１００における、排気用ノズル部Ｎ４及び他のノズル部Ｎ１〜Ｎ３の組み立てが容易となる。
【０１１２】
また、ミスト噴射ヘッド部１００の枠部３０は、基板２３側に突出している。したがって、反応空間を囲繞することができ、反応空間から原料溶液等が拡散することを抑制することができる。
【０１１３】
＜実施の形態２＞
図５は実施の形態２である成膜装置におけるミスト噴射ヘッド部１００Ｂの構成を示す断面図である。図６は図５のＣ−Ｃ断面構造を示す断面図である。
【０１１４】
図７は、ミスト噴射ヘッド部１００Ｂの底面構造を示す平面図である。図８はベースプレート部２０ＢをＹ方向から視た外観構造等を示す説明図である。図８において、同図(a) は、ミスト噴射ヘッド部１００Ｂを左側面（−Ｘ方向）から視た側面図であり、(b) は正面（＋Ｙ方向）から視た正面図である。なお、図８(a) のＤ−Ｄ断面構造が図５で示す断面図となる。
【０１１５】
実施の形態１であるミスト噴射ヘッド部１００では、２つの反応材料噴射用ノズル部Ｎ２，Ｎ３を有していた。一方、実施の形態２によるミスト噴射ヘッド部１００Ｂでは、反応材料噴射用ノズル部Ｎ３Ｂを一つに集約し、反応材料噴射用ノズル部Ｎ３Ｂの底面に設けられた反応材料噴出口１６Ｂ及び１７Ｂから、第１及び第２の反応材料が噴出される構成を実現している。さらに、反応材料噴射用ノズル部Ｎ３Ｂの底面に設けられた原料溶液噴出口１５Ｂからミスト化された原料溶液が噴出される構成を実現している。
【０１１６】
実施の形態１のミスト噴射ヘッド部１００と実施の形態２のミスト噴射ヘッド部１００Ｂとでは、主として、反応材料噴射用ノズル部Ｎ２及びＮ３が反応材料噴射用ノズル部Ｎ３Ｂに置き換わった点、原料溶液噴射用ノズル部Ｎ１が原料溶液噴射用ノズル部Ｎ１Ｂに置き換わった点が異なる。以下では、実施の形態２のミスト噴射ヘッド部１００Ｂに関し、実施の形態１のミスト噴射ヘッド部１００と異なる構成部分を中心に説明を行い、実施の形態１と同様な構成部分は同一符号を付し説明を適宜省略する。
【０１１７】
図５に示すように、ミスト噴射ヘッド部１００Ｂは、反応材料噴射用ノズル部Ｎ３Ｂと、原料溶液噴射用ノズル部Ｎ１Ｂと、排気用ノズル部Ｎ４とを有する。図５に示すように、反応材料噴射用ノズル部Ｎ３Ｂ、原料溶液噴射用ノズル部Ｎ１Ｂ及び排気用ノズル部Ｎ４は、当該順に、Ｘ方向（水平方向）に沿って並んで配設されている。
【０１１８】
また、原料溶液噴射用ノズル部Ｎ１Ｂの側面と反応材料噴射用ノズル部Ｎ３Ｂの側面とは接触している。しかしながら、原料溶液噴射用ノズル部Ｎ１Ｂの側面と排気用ノズル部Ｎ４の側面との間には、所定の距離だけ離れている。つまり、反応材料噴射用ノズル部Ｎ３Ｂと原料溶液噴射用ノズル部Ｎ１ＢとはＸ方向に隣接しているが、排気用ノズル部Ｎ４は、他のノズル部Ｎ１，Ｎ３Ｂとは、Ｘ方向に離れて配置されている。
【０１１９】
上記のように、反応材料噴射用ノズル部Ｎ３Ｂ，原料溶液噴射用ノズル部Ｎ１Ｂ及び排気用ノズル部Ｎ４は、Ｘ方向（水平方向）に並んで配置されている。ここで、少なくとも排気用ノズル部Ｎ４は、ミスト噴射ヘッド部１００Ｂの最外側（図５では右端（＋Ｘ方向側））に位置している。
【０１２０】
載置部２４により所定の温度で加熱されている基板２３の上面に対して、ミスト噴射ヘッド部１００Ｂは、ミスト化された原料溶液等を噴射する。これにより、基板２３の上面に所望の膜が、成膜される。なお、成膜処理のときには、載置部２４は、水平方向（ＸＹ平面内）に移動する。または、ミスト噴射ヘッド部１００Ｂは、当該水平方向に移動する。
【０１２１】
（原料溶液噴射用ノズル部Ｎ１Ｂ及び反応材料噴射用ノズル部Ｎ３Ｂ）
以下、原料溶液噴射用ノズル部Ｎ１Ｂ及び反応材料噴射用ノズル部Ｎ３Ｂの構成について説明する。
【０１２２】
原料溶液噴射用ノズル部Ｎ１Ｂは、ミスト化された原料溶液を、反応材料噴射用ノズル部Ｎ３Ｂの底面に形成された原料溶液噴出口１５Ｂから噴射するノズルである。原料溶液噴射用ノズル部Ｎ１Ｂには、内部に空洞部１１（一方の空洞部）及び空洞部１２Ｂ（他方の空洞部）が形成されている。また、原料溶液噴射用ノズル部Ｎ１Ｂの上面には、実施の形態１の原料溶液噴射用ノズル部Ｎ１と同様、原料溶液供給部１が配設されている。
【０１２３】
また、原料溶液噴射用ノズル部Ｎ１Ｂの空洞部１１内において、実施の形態１の原料溶液噴射用ノズル部Ｎ１と同様、一方の側面部には、複数の整流部６（第１の整流部）が配設されている。
【０１２４】
複数の整流部６の下方に空洞部１１が設けられる。複数の整流部６の上方の小空間は、複数の整流部７により形成される隙間を通じて、空洞部１１と接続されており、空洞部１１は、原料溶液排出部４１Ｂに接続されている。
【０１２５】
原料溶液排出部４１Ｂは、空洞部１１において、一方の側面部（図１では左（−Ｘ方向）側の側面）に配設されている。また、原料溶液排出部４１Ｂは、原料溶液噴射用ノズル部Ｎ１Ｂ（空洞部１１）の底面から離れた位置において、配設されている。
【０１２６】
一方、原料溶液噴射用ノズル部Ｎ１Ｂではなく、反応材料噴射用ノズル部Ｎ３Ｂの底面に原料溶液噴出口１５Ｂが形成されている。すなわち、実施の形態２のミスト噴射ヘッド部１００Ｂでは、反応材料噴射用ノズル部Ｎ３Ｂの底面に設けられた原料溶液噴出口１５Ｂから、ミスト化された原料溶液が基板２３の上面に対して噴出される。
【０１２７】
そして、反応材料噴射用ノズル部Ｎ３には内部に通路６１Ｂ（第１の内部通路）が配設されている。原料溶液噴射用ノズル部Ｎ１Ｂに設けられた原料溶液排出部４１Ｂは、反応材料噴射用ノズル部Ｎ３Ｂに設けられた通路６１Ｂを介して、原料溶液噴出口１５Ｂと接続されている。
【０１２８】
図７に示すように、ミスト噴射ヘッド部１００Ｂの底面はＸ方向（第２の方向）及びＹ方向（第１の方向）で規定される矩形状を呈している。そして、原料溶液噴出口１５Ｂは、平面視して長手方向をＹ方向（第１の方向）とした細長い開口穴であるスリット状を呈している。なお、原料溶液噴出口１５Ｂの開口部の幅（図７のＸ方向の寸法）は、０．１ｍｍ〜１０ｍｍ程度である。
【０１２９】
原料溶液噴射用ノズル部Ｎ１Ｂでは、ミスト化された原料溶液は、原料溶液供給部１から、空洞部１１内に供給される。そして、当該原料溶液は、複数の整流部６により整流され、複数の整流部６の上方の小空間に充満した後、空洞部１１へと導かれ、空洞部１１において充満する。その後、ミスト化された原料溶液は、原料溶液排出部４１Ｂから、反応材料噴射用ノズル部Ｎ３Ｂの通路６１Ｂを介して、原料溶液噴出口１５Ｂへと導かれる。そして、ミスト化された原料溶液は、原料溶液噴出口１５Ｂから、基板２３の上面に向けて、噴出される。
【０１３０】
さらに、原料溶液噴射用ノズル部Ｎ１Ｂは空洞部１１の下方に空洞部１２Ｂを有し、空洞部１２Ｂは、図５及び図８(b) に示すように、原料溶液との反応に寄与する第１の反応材料を供給する反応材料供給部２Ｂと接続されており、空洞部１２Ｂは、後述する反応材料排出部４２Ｂに接続されている。
【０１３１】
反応材料排出部４２Ｂ（第１の反応材料排出部）は、空洞部１２Ｂにおいて、一方の側面部（図１では左（−Ｘ方向）側の側面）に配設されている。また、反応材料排出部４２Ｂは、反応材料噴射用ノズル部Ｎ２（空洞部１２Ｂ）の底面から離れた位置において、配設されている。
【０１３２】
一方、反応材料噴射用ノズル部Ｎ３Ｂ内には通路６２Ｂ（第２の内部通路）が配設されている。そして、原料溶液噴射用ノズル部Ｎ１Ｂに設けられた反応材料排出部４２Ｂは、反応材料噴射用ノズル部Ｎ３Ｂに設けられた通路６２Ｂを介して、反応材料噴射用ノズル部Ｎ３Ｂの底面に設けられた反応材料噴出口１６Ｂ（第１の反応材料噴出口）と接続されている。
【０１３３】
一方、反応材料噴射用ノズル部Ｎ３Ｂは、主として原料溶液との反応に寄与する第２の反応材料を基板２３に対して噴出するノズルである。反応材料噴射用ノズル部Ｎ３Ｂには、内部に一つの空洞部１３Ｂが形成されている。図５に示すように、空洞部１３Ｂは、反応材料噴射用ノズル部Ｎ３Ｂ内において、上方（＋Ｚ方向）に配設されている。具体的には、反応材料噴射用ノズル部Ｎ３Ｂ内において、上部側には一方の空洞部１３Ｂが設けられる。ここで、空洞部１３Ｂは他の空間から独立して形成される空間である。
【０１３４】
図５及び図８(b) に示すように、空洞部１３Ｂにおいて、Ｙ方向の側面には、反応材料供給部３Ｂが配設されている。第２の反応材料は、反応材料噴射用ノズル部Ｎ３Ｂ外から、一方の反応材料供給部３Ｂを介して、一方の空洞部１３Ｂ内へと供給される。
【０１３５】
ここで、上述した第１及び第２の反応材料は、気体であっても液体であっても良い。液体の場合には、超音波振動等を利用してミスト化された液体（反応材料）が、キャリアガスと共に、図示していない経路を通って、原料溶液噴射用ノズル部Ｎ１Ｂあるいは反応材料噴射用ノズル部Ｎ３Ｂ内へと搬送される。
【０１３６】
反応材料供給部３Ｂから出力される第２の反応材料は、反応材料噴射用ノズル部Ｎ３Ｂ内の空洞部１３Ｂへと充満する（供給される）。
【０１３７】
なお、図５では図示を省略しているが、原料溶液噴射用ノズル部Ｎ１Ｂの空洞部１２Ｂ及び反応材料噴射用ノズル部Ｎ３Ｂの空洞部１３Ｂ内において、実施の形態１で説明した機能・作用（つまり、空洞部１２Ｂ，１３Ｂ内における反応材料の流れを整え、反応材料と大気とが反応し、パーティクルが生成されたとしても、当該パーティクルが、空洞部１２Ｂ，１３Ｂの底面から反応材料排出部４２Ｂ，４３Ｂまでの間の領域に、トラップされることを促進する機能・作用）を有する整流部が配設されていても良い。
【０１３８】
また、空洞部１３Ｂにおいて、Ｘ方向の側面には、反応材料排出部４３が配設されている。ここで、一方の反応材料排出部４３は、洞部１３Ｂの底面から離れた位置において、配設されている。
【０１３９】
反応材料噴射用ノズル部Ｎ３Ｂの底面において、反応材料噴出口１６Ｂ及び１７Ｂが配設されている。ここで、空洞部１２Ｂから供給される第１の反応材料が反応材料噴出口１６Ｂから、空洞部１３Ｂから供給される第２の反応材料が反応材料噴出口１７Ｂから、それぞれ基板２３の上面に対して噴出される。
【０１４０】
ミスト噴射ヘッド部１００Ｂ（図５の構成例では、反応材料噴射用ノズル部Ｎ３Ｂ）内には、通路６２Ｂ及び通路６３が配設されている。そして、原料溶液噴射用ノズル部Ｎ１Ｂと反応材料噴射用ノズル部Ｎ３Ｂとの隣接配置により、反応材料排出部４２Ｂは、通路６２Ｂを介して反応材料噴出口１６Ｂと接続される。一方、反応材料噴射用ノズル部Ｎ３Ｂ内において、反応材料排出部４３Ｂは、通路６３を介して、反応材料噴出口１７Ｂと接続されている。
【０１４１】
さらに、図５に示すように、反応材料噴射用ノズル部Ｎ３Ｂの底面において、原料溶液を基板２３に対して噴出する原料溶液噴出口１５Ｂが配設されている。実施の形態２では、原料溶液排出部４１Ｂと原料溶液噴出口１５Ｂと接続する通路６１Ｂは、反応材料噴射用ノズル部Ｎ３Ｂ内に配設されている。
【０１４２】
よって、実施の形態２のミスト噴射ヘッド部１００Ｂでは、反応材料噴射用ノズル部Ｎ３Ｂの基板２３に面する側において、反応材料噴出口１７Ｂ、原料溶液噴出口１５Ｂ及び反応材料噴出口１６Ｂが、当該順にＸ方向（水平方向）に配設されている。ここで、図７に示すように、各反応材料噴出口１７Ｂ，１６Ｂ及び原料溶液噴出口１５Ｂは、平面視して長手方向をＹ方向とした細長い開口穴であるスリット状を呈している。なお、反応材料噴出口１７Ｂ，１６Ｂ及び原料溶液噴出口１５Ｂ開口部の幅（図７のＸ方向の寸法）は、０．１ｍｍ〜１０ｍｍ程度である。
【０１４３】
原料溶液噴射用ノズル部Ｎ１Ｂから排出される反応材料（第１の反応材料）は、原料溶液噴射用ノズル部Ｎ１Ｂにおいて、反応材料供給部２Ｂから、空洞部１２Ｂ内に供給される。そして、第１の反応材料は、空洞部１２Ｂに充満した後、反応材料排出部４２Ｂから反応材料噴射用ノズル部Ｎ３Ｂに排出される。その後、反応材料噴射用ノズル部Ｎ３Ｂの内部に通路６２Ｂを介して、反応材料噴射用ノズル部Ｎ３Ｂの底面に設けられた反応材料噴出口１６Ｂへと導かれる。そして、第１の反応材料は、一方の反応材料噴出口１６Ｂから、基板２３の上面に向けて、噴出される。
【０１４４】
一方、反応材料噴射用ノズル部Ｎ３Ｂにおいて、反応材料（第２の反応材料）は、反応材料供給部３Ｂから、空洞部１３Ｂ内に供給される。そして、第２の反応材料は、空洞部１３Ｂに充満した後、反応材料排出部４３から、通路６３を介して、反応材料噴出口１７Ｂへと導かれる。
【０１４５】
図５及び図７に示すように、反応材料噴出口１７Ｂ、原料溶液噴出口１５Ｂ、反応材料噴出口１６Ｂ及び排気口１８は、当該順に、Ｘ方向（水平方向）に配置されている。
【０１４６】
排気用ノズル部Ｎ４は、他のノズル部Ｎ３Ｂ，Ｎ１Ｂとは、Ｘ方向に離れて配置されている。したがって、排気用ノズル部Ｎ４と他のノズル部Ｎ３Ｂ，Ｎ１Ｂとの間には、吹き抜け部５８が生じる。そこで、本実施の形態においても、ミスト噴射ヘッド部１００Ｂは、ベースプレート部２０Ｂを備えている。ベースプレート部２０Ｂは、反応材料噴射用ノズル部Ｎ３Ｂの底面下から排気用ノズル部Ｎ４の底面下にかけても配置されることにより、吹き抜け部５８を、基板２３配置側から塞いでいる（図５，図７及び図８(b) 参照）。
【０１４７】
なお、基板２３に対して不活性ガスを噴射できるように、本実施の形態に係るベースプレート部２０Ｂにおいても、実施の形態１と同様、不活性ガス供給部５４と、通路７４と、複数の不活性ガス噴出口１９４とが設けられている。さらに、実施の形態２のベースプレート部２０Ｂには、実施の形態１と同様に、温度調節機構２２が配設されている。
【０１４８】
また、実施の形態２では、反応材料噴射用ノズル部Ｎ３Ｂ内においても、温度調節機構２２が配設されている。なお、ミスト噴射ヘッド部１００Ｂでは、原料溶液噴射用ノズル部Ｎ１Ｂに対する温度調整は、ベースプレート部２０Ｂ配設されている温度調節機構２２の一部が行っている。
【０１４９】
なお、実施の形態２においても、ミスト噴射ヘッド部１００Ｂは、基板２３に面している側（底面）において、枠部３０を有する。さらに、図５に示すように、実施の形態１と同様に、実施の形態２においても、ミスト噴射ヘッド部１００Ｂには、不活性ガス噴射部８１の不活性ガス供給部５１、通路７１及び不活性ガス噴出口１９１や不活性ガス供給部５５、通路７５及び不活性ガス噴出口１９５が設けられている。
【０１５０】
反応空間に、ミスト化された原料溶液と反応材料とが噴射されると、加熱されている基板２３上において、原料溶液と反応材料とが反応し、基板２３の上面に所望の膜が成膜される。なお、反応空間内の反応残渣等は、排気用ノズル部Ｎ４により、反応空間から排除される。
【０１５１】
（不活性ガス噴出口１９２Ｂ及び１９３Ｂ等）
実施の形態２のミスト噴射ヘッド部１００Ｂの端部（図５の−Ｘ方向側端部）において、実施の形態１と同様、不活性ガス噴射部８１は枠部３０または枠部３０に隣接する領域に配設されている。さらに、ミスト噴射ヘッド部１００Ｂの反応材料噴射用ノズル部Ｎ３Ｂの内部に不活性ガス噴射部８２Ｂ及び８３Ｂが形成されている。
【０１５２】
不活性ガス噴射部８１は主として不活性ガス供給部５１、通路７１及び不活性ガス噴出口１９１より構成され、不活性ガス噴射部８２Ｂは主として不活性ガス供給部５２Ｂ、通路７２Ｂ及び不活性ガス噴出口１９２Ｂより構成され、不活性ガス噴射部８３Ｂは主として不活性ガス供給部５３Ｂ、通路７３Ｂ及び不活性ガス噴出口１９３Ｂにより構成される。
【０１５３】
図５に示すように、不活性ガス噴射部８２Ｂは、反応材料噴射用ノズル部Ｎ３Ｂ内において、空洞部１３Ｂの下方に配設され、不活性ガス噴射部８３Ｂの主要部（不活性ガス供給部５３Ｂ付近の通路７３Ｂ）は不活性ガス噴射部８２Ｂの主要部（不活性ガス供給部５２Ｂ付近の通路７２Ｂ）の下方に形成されている。ここで、不活性ガス噴射部８２Ｂ及び８３Ｂはそれぞれ他の空間から独立して形成される空間である。
【０１５４】
図５、図６及び図８(b) に示すように、不活性ガス噴射部８２Ｂ及び８３Ｂにおいて、Ｙ方向の側面には、不活性ガス供給部５２Ｂ及び５３Ｂが配設されている。不活性ガス供給部５２Ｂ及び５３Ｂは反応材料噴射用ノズル部Ｎ３Ｂ内に形成された通路７２Ｂ及び７３Ｂを介して反応材料噴射用ノズル部Ｎ３Ｂの底面に形成された不活性ガス噴出口１９２Ｂ及び１９３Ｂに接続される。
【０１５５】
図５及び図６に示すように、不活性ガス噴射部８２Ｂ及び８３Ｂにおいて、外部から不活性ガス供給部５２Ｂ及び５３Ｂに導入される不活性ガスは通路７２Ｂ及び７３Ｂを介して、ミスト噴射ヘッド部１００Ｂの底面に形成される不活性ガス噴出口１９２Ｂ及び１９３Ｂから噴出される。
【０１５６】
不活性ガス供給部５１、５２Ｂ及び５３Ｂは不活性ガス噴出口１９１、１９２Ｂ及び１９３Ｂに連通しているが、不活性ガス供給部５１、５２Ｂ及び５３Ｂそれぞれの開口面積は、不活性ガス噴出口１９１、１９２Ｂ及び１９３Ｂそれぞれの開口面積以上に設定すること望ましい。
【０１５７】
さらに、不活性ガス噴出口１９１、１９２Ｂ及び１９３Ｂにより不活性ガスを噴出している流量は、原料溶液噴出口１５Ｂにより原料溶液を噴出している流量及び反応材料噴出口１６Ｂ及び１７Ｂにより反応材料を噴出している流量それぞれ以下に設定することが望ましい。
【０１５８】
さらに、図６に示すように、実施の形態１と同様、Ｙ方向両端部に設けられた２つの不活性ガス供給部５５に導入される不活性ガスが、それぞれ通路７５を介して、図７に示すように、ミスト噴射ヘッド部１００Ｂの底面に形成された２つの不活性ガス噴出口１９５から噴出される。
【０１５９】
このように、不活性ガス噴出口１９５は、上述した枠部３０または枠部３０に隣接する領域に配設されている。
【０１６０】
上述した構成により、不活性ガス噴射部８１、８２Ｂ及び８３Ｂの不活性ガス供給部５１、５２Ｂ及び５３Ｂ並びに及び不活性ガス供給部５５を介して、ミスト噴射ヘッド部１００Ｂの外部から送られてきた不活性ガスは、ミスト噴射ヘッド部１００Ｂ内へ供給される。通路７１、７２Ｂ及び７３Ｂ並びに通路７５は、ミスト噴射ヘッド部１００Ｂ内に配設されており、当該供給された不活性ガスは、通路７１、７２Ｂ及び７３Ｂ並びに通路７５内を伝搬する。不活性ガス噴出口１９１、１９２Ｂ及び１９３Ｂ並びに不活性ガス噴出口１９５は、ミスト噴射ヘッド部１００Ｂの底面（基板２３に面する側）に配設されており、不活性ガス噴出口１９１、１９２Ｂ及び１９３Ｂ並びに不活性ガス噴出口１９５から、不活性ガスが基板２３の上面に向けて噴射される。
【０１６１】
排気用ノズル部Ｎ４は、他のノズル部Ｎ１Ｂ及びＮ３Ｂとは、Ｘ方向に離れて配置されている。したがって、排気用ノズル部Ｎ４と他のノズル部Ｎ１Ｂ及びＮ３Ｂとの間には、吹き抜け部５８が生じる。そこで、ミスト噴射ヘッド部１００Ｂは、ベースプレート部２０Ｂを備えている。ベースプレート部２０Ｂは、吹き抜け部５８を、基板２３配置側から塞いでいる（図５，図７，図８(b) 参照）。
【０１６２】
図５、図７及び図８(b) に示すように、実施の形態２のミスト噴射ヘッド部１００Ｂのベースプレート部２０Ｂには、不活性ガス供給部５４（図８(b) 参照）と、通路７４（図５，図７参照）と、複数の不活性ガス噴出口１９４とが設けられている。
【０１６３】
ベースプレート部２０Ｂにおいて、不活性ガス供給部５４を介して、ミスト噴射ヘッド部１００Ｂの外部から送られてきた不活性ガスは、ベースプレート部２０Ｂへ供給される。通路７４は、ベースプレート部２０Ｂ内に配設されており、当該供給された不活性ガスは、通路７４内を伝搬する。複数の不活性ガス噴出口１９４は、ベースプレート部２０Ｂの底面（基板２３に面する側）に配設されており、複数の不活性ガス噴出口１９４から、不活性ガスが基板２３の上面に向けて噴射される。
【０１６４】
図７に示すように、不活性ガス噴出口１９１〜１９４（１９１、１９２Ｂ、１９３Ｂ及び１９４）は、それぞれ平面視して長手方向をＹ方向（第１の方向）とした細長い開口穴であるスリット状である。一方、不活性ガス噴出口１９５は、平面視して長手方向をＸ方向（第２の方向）とした細長い開口穴であるスリット状である。なお、不活性ガス噴出口１９１〜１９５それぞれの開口部の幅（不活性ガス噴出口１９１〜１９４は図６のＸ方向の寸法、不活性ガス噴出口１９５は図６のＹ方向側の寸法）は、０．１ｍｍ〜１０ｍｍ程度である。
【０１６５】
そして、図５及び図７に示すように、反応材料噴射用ノズル部Ｎ３Ｂの底面において、不活性ガス噴出口１９２Ｂは原料溶液噴出口１５Ｂと反応材料噴出口１７Ｂとの間に設けられ、不活性ガス噴出口１９３Ｂは原料溶液噴出口１５Ｂと反応材料噴出口１６Ｂとの間に設けられる。すなわち、実施の形態２のミスト噴射ヘッド部１００Ｂの底面において、不活性ガス噴出口１９２Ｂ及び１９３は、原料溶液噴出口１５Ｂと反応材料噴出口１６Ｂ及び１７との間に設けられることを特徴としている。
【０１６６】
また、実施の形態２のミスト噴射ヘッド部１００Ｂでは、反応材料噴射用ノズル部Ｎ３Ｂの底面及びベースプレート部２０Ｂの底面が面一になるように構成される。したがって、原料溶液噴出口１５Ｂ、反応材料噴出口１６Ｂ及び１７Ｂ、及び不活性ガス噴出口１９２Ｂ、１９３Ｂ及び１９４はミスト噴射ヘッド部１００における面一の底面に設けられることになる。
【０１６７】
（効果等）
実施の形態２のミスト噴射ヘッド部１００Ｂにおいて、原料溶液噴射用ノズル部Ｎ１Ｂは、ミスト化された原料溶液及び第１の反応材料（反応材料供給部２Ｂより供給される反応材料）を反応材料噴射用ノズル部Ｎ３Ｂに排出可能な原料溶液排出部４１Ｂ及び４２Ｂを有している。
【０１６８】
一方、反応材料噴射用ノズル部Ｎ３Ｂは、不活性ガス噴出口１９３Ｂ及び１９２Ｂ（第１及び第２の不活性ガス噴出口）よりそれぞれ不活性ガスを噴出し、反応材料噴出口１７Ｂ（第２の反応材料噴出口）より第２の反応材料（反応材料供給部３Ｂより供給される反応材料）を噴出する。
【０１６９】
さらに、反応材料噴射用ノズル部Ｎ３Ｂは、原料溶液噴射用ノズル部Ｎ１Ｂの原料溶液排出部４１Ｂ及び４２Ｂより排出される原料溶液及び上記第１の反応材料を原料溶液噴出口１５Ｂ及び反応材料噴出口１６Ｂ（第１の前記反応材料噴出口）に導く通路６１Ｂ及び６２Ｂ（第１及び第２の内部通路）を内部に有している。
【０１７０】
上記構成の実施の形態２のミスト噴射ヘッド部１００Ｂは、原料溶液噴射用ノズル部Ｎ１Ｂ及び反応材料噴射用ノズル部Ｎ３Ｂの組み合わせ構成により、不活性ガス噴出口１９３Ｂ及び１９２Ｂは、原料溶液噴出口１５Ｂと反応材料噴出口１６Ｂ及び１７Ｂとの間に設けられることを特徴としている。
【０１７１】
このため、実施の形態２の成膜装置において、実施の形態１と同様、原料溶液噴出口１５Ｂ付近と反応材料噴出口１６Ｂ及び１７Ｂ付近それぞれへの反応生成物の付着を低減することができ。その結果、原料溶液噴出口１５Ｂ並びに反応材料噴出口１６Ｂ及び１７Ｂそれぞれの目詰まりを確実に回避することができる効果を奏する。
【０１７２】
また、実施の形態２のミスト噴射ヘッド部１００Ｂの底面に形成される噴出口１５Ｂ〜１７Ｂ及び不活性ガス噴出口１９１〜１９４は、第１の方向（Ｙ方向）を長手方向としたスリット状に形成される。したがって、大面積の基板に対して、均等に、ミスト化された原料溶液を噴霧することができる。
【０１７３】
さらに、載置部２４またはミスト噴射ヘッド部１００Ｂは、水平方向に移動可能である。したがって、大面積の基板２３の全面に対しても、本実施の形態に係る成膜装置（ミスト噴射ヘッド部１００Ｂ）を用いた成膜処理が可能となる。
【０１７４】
また、反応材料噴出口１６Ｂ（１７Ｂ）をスリット状で形成することにより、大面積の基板２３の上面に対して、均等に、反応材料を噴霧することができる。
【０１７５】
加えて、排気口１８をスリット状で形成することにより、より広範囲に亘って、排気処理が可能となる。また、原料溶液等が排気口１８へ向かうＸ方向の流れを、均等にすることができる。
【０１７６】
さらに、実施の形態２の成膜装置では、不活性ガス供給部５１、５２Ｂ及び５３Ｂそれぞれの開口面積を、不活性ガス噴出口１９１、１９２Ｂ及び１９３Ｂそれぞれの開口面積以上、すなわち、不活性ガス噴出口１９１、１９２Ｂ及び１９３Ｂそれぞれの開口面積を不活性ガス供給部５１、５２Ｂ及び５３Ｂそれぞれの開口面積以下に設定することにより、不活性ガス噴出口１９１、１９２Ｂ及び１９３Ｂと不活性ガス供給部５１、５２Ｂ及び５３Ｂとの間に圧力差を設定することができ、成膜時に不活性ガスを基板２３上面上に均一に広げることができる効果を奏する。
【０１７７】
加えて、実施の形態２の成膜装置において、不活性ガス噴出口１９１、１９２Ｂ及び１９３Ｂにより不活性ガスを噴出している流量を、原料溶液噴出口１５Ｂにより原料溶液を噴出している流量及び反応材料噴出口１６Ｂ及び１７Ｂにより反応材料を噴出している流量それぞれ以下に設定している。
【０１７８】
このため、実施の形態２の成膜装置は、不活性ガスの噴出によって、原料溶液と反応材料との反応を阻害する現象を抑制することができる。
【０１７９】
さらに、実施の形態２の成膜装置は、実施の形態１の成膜装置と同様な効果を奏するとともに、以下の効果を奏する。
【０１８０】
実施の形態２に係るミスト噴射ヘッド部１００Ｂは、１つの原料溶液噴射用ノズル部Ｎ１Ｂにおいて、二つの空洞部１１，１２Ｂを設け、一つの反応材料噴射用ノズル部Ｎ３Ｂから、２種類の反応材料及び２つの不活性ガスを基板２３に向けて噴射させている。
【０１８１】
したがって、２種類の反応材料を噴射させる場合に、実施の形態２で説明したように、ミスト噴射ヘッド部１００Ｂに二つの反応材料噴射用ノズル部Ｎ２，Ｎ３を設ける必要がなくなる。つまり、本実施の形態に係るミスト噴射ヘッド部１００Ｂでは、省スペース化が可能となる。
【０１８２】
さらに、実施の形態２に係るミスト噴射ヘッド部１００Ｂは、一つの反応材料噴射用ノズル部Ｎ３Ｂ内に不活性ガス噴射部８２Ｂ及び８３Ｂを設けているため、実施の形態１のミスト噴射ヘッド部１００のように不活性ガス噴射部８２及び８３を独立して設ける必要がなくなる分、ミスト噴射ヘッド部１００Ｂでは、省スペース化が可能となる。
【０１８３】
加えて、ミスト噴射ヘッド部１００Ｂは、実施の形態１と同様、吹き抜け部５８を基板２３側から塞ぐベースプレート部２０Ｂを有している。したがって、排気用ノズル部Ｎ４を他のノズル部Ｎ１Ｂ及びＮ３Ｂから離して配置させたとしても、反応空間から吹き抜け部５８へと、原料溶液等が流れることを防止できる。また、ミスト噴射ヘッド部１００Ｂにおける、排気用ノズル部Ｎ４並びに他のノズル部Ｎ１Ｂ及びＮ３Ｂの組み立てが容易となる。
【０１８４】
＜その他＞
なお、上述した実施の形態では、反応材料噴出口１６及び１７（１６Ｂ及び１７Ｂ）から第１及び第２の反応材料を基板２３に噴出する構成を示したが、単一の反応材料噴出口から単一の反応材料を噴出させる構成であっても良い。この場合、原料溶液噴出口１５（１５Ｂ）と単一の反応材料噴出口との間に単一の不活性ガス噴出口（不活性ガス噴出口１９２及び１９３（１９２Ｂ及び１９３Ｂ）に相当する不活性ガス噴出口）を設ければ、原料溶液噴出口１５（１５Ｂ）及び単一の反応材料噴出口それぞれの目詰まりを確実に回避することができる効果を発揮することができる。
【０１８５】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１８６】
１  原料溶液供給部
２，２Ｂ，３，３Ｂ  反応材料供給部
４  排気物出口部
６〜９  整流部
１１〜１４，１２Ｂ及び１３Ｂ  空洞部
１５，１５Ｂ  原料溶液噴出口
１６，１６Ｂ，１７，１７Ｂ  反応材料噴出口
１８  排気口
２０，２０Ｂ  ベースプレート部
２２  温度調節機構
２３  基板
２４  載置部
３０  枠部
４１，４１Ｂ  原料溶液排出部
４２，４２Ｂ，４３  反応材料排出部
４４  排気物導入部
５１〜５５，５２Ｂ，５３Ｂ  不活性ガス供給部
５８  吹き抜け部
６１〜６４，７１〜７５，６１Ｂ，６２Ｂ，７２Ｂ，７３Ｂ  通路
８１〜８３，８２Ｂ，８３Ｂ  不活性ガス噴射部
１００，１００Ｂ  ミスト噴射ヘッド部
１９１〜１９５，１９２Ｂ，１９３Ｂ  不活性ガス噴出口
Ｎ１，Ｎ１Ｂ  原料溶液噴射用ノズル部
Ｎ２，Ｎ３，Ｎ３Ｂ  反応材料噴射用ノズル部
Ｎ４  排気用ノズル部
【図１】
2017068625.tif 000003
【図２】
2017068625.tif 000004
【図３】
2017068625.tif 000005
【図４】
2017068625.tif 000006
【図５】
2017068625.tif 000007
【図６】
2017068625.tif 000008
【図７】
2017068625.tif 000009
【図８】
2017068625.tif 000010
【国際調査報告】
2017068625.tif 000011
2017068625.tif 000012
2017068625.tif 000013
2017068625.tif 000014